(57)【要約】【課題】物体が浮遊する状態を現実的にかつ安定して形成することができる遊技機における物体可動構造を提供すること。【解決手段】遊技機における物体可動構造１は、透明性部材３をベース部材１１に対して可動可能に配設すると共に、透明性部材３に物体２を配設してなる。透明性部材３は、第１駆動手段５によってベース部材１１に対して相対的に動くことが可能であり、物体２は、第２駆動手段６によって透明性部材３に対して相対的に動くことが可能である。第１駆動手段５と第２駆動手段６とは、被覆部材１２によって覆われている。【選択図】図１
2009112564.tif 000002
【特許請求の範囲】
【請求項１】
遊技機において、透明性部材をベース部材に対して可動可能に配設すると共に、上記透明性部材に物体を配設してなり、
上記透明性部材は、第１駆動手段によって上記ベース部材に対して相対的に動くことが可能であり、上記物体は、第２駆動手段によって上記透明性部材に対して相対的に動くことが可能であり、
上記第１駆動手段と上記第２駆動手段とは、被覆部材によって覆われていることを特徴とする遊技機における物体可動構造。
【請求項２】
請求項１において、上記透明性部材の後方には、後方透明性部材が上記ベース部材に対して可動可能に配設してあり、
上記透明性部材及び上記後方透明性部材と上記物体とには、係合機構が上記物体によって覆われた状態で係合しており、
上記第１駆動手段は、上記透明性部材を可動させるよう構成した第１駆動源であり、上記第２駆動手段は、上記後方透明性部材を可動させるよう構成した第２駆動源であり、
上記第１駆動源と上記第２駆動源とによって上記透明性部材と上記後方透明性部材とを可動させたときには、上記係合機構によって上記物体を上記透明性部材と一体的に動かし、一方、上記第１駆動源又は上記第２駆動源によって上記透明性部材と上記後方透明性部材とを相対的に可動させたときには、上記係合機構によって上記物体を上記透明性部材に対して相対的に動かすよう構成してあることを特徴とする遊技機における物体可動構造。
【発明の詳細な説明】
【技術分野】
【０００１】
本発明は、遊技機において、透明性部材に配設した物体の可動構造に関する。
【背景技術】
【０００２】
パチンコ遊技機等の遊技機においては、遊技盤に構成した種々の遊技を演出する仕掛けが設けられている。例えば、特許文献１においては、遊技領域に液晶画面等の表示装置を設けると共に、その前面に表示装置における液晶表示等を透視可能な液体注入容器を配置し、この液体注入容器内の液体中を浮遊する演出物を移動させるようにした遊技機が開示されている。また、演出物は、液体注入容器の左右の側方に設けた電磁石の極性を変化させることにより、演出物に設けた永久磁石に吸引、反発力を作用させて左右に移動させている。これにより、遊技機における表示装置の演出効果を向上させている。
【０００３】
また、例えば、特許文献２においては、画像表示装置の前面に、駆動手段によって可動する透明可動部材を設け、この透明可動部材に、遊技領域に打ち込まれた遊技球を保持する保持部材を複数設けた遊技機が開示されている。そして、この遊技機においては、駆動手段によって透明可動部材を可動させることにより、複数の保持部材に保持した遊技球の保持位置を変化させ、画像表示装置の表示状態を変化させるようにしている。これにより、遊技機における興趣を向上させている。
【０００４】
しかしながら、上記従来の遊技機においては、物体が浮遊する状態（あたかも宙に浮かんでいるかのように見える状態）を形成する工夫はなされていない。
すなわち、従来の遊技機においては、透明の容器、部材等を用いて、演出物、遊技球等を移動させることは行われているものの、これらの動きが単調である。そのため、物体が浮遊する状態を現実的にかつ安定して形成するためには更なる工夫が必要とされる。
【０００５】
【特許文献１】特開２００３−２４５４２９号公報
【特許文献２】特開２００５−１２４７６９号公報
【発明の開示】
【発明が解決しようとする課題】
【０００６】
本発明は、かかる従来の問題点に鑑みてなされたもので、物体が浮遊する状態を現実的にかつ安定して形成することができる遊技機における物体可動構造を提供しようとするものである。
【課題を解決するための手段】
【０００７】
本発明は、遊技機において、透明性部材をベース部材に対して可動可能に配設すると共に、上記透明性部材に物体を配設してなり、
上記透明性部材は、第１駆動手段によって上記ベース部材に対して相対的に動くことが可能であり、上記物体は、第２駆動手段によって上記透明性部材に対して相対的に動くことが可能であり、
上記第１駆動手段と上記第２駆動手段とは、被覆部材によって覆われていることを特徴とする遊技機における物体可動構造にある（請求項１）。
【０００８】
本発明の遊技機における物体可動構造は、第１駆動手段及び第２駆動手段を有しており、物体を透明性部材と一体的に動かすことができると共に、物体を透明性部材に対して相対的に動かすことができるものである。そして、第１駆動手段と第２駆動手段とにより、物体の種々の動きを形成することができる。
これにより、例えば、ベース部材に対する透明性部材と物体との一体的な動きと、透明性部材に対する物体の相対的な動きとを組み合せることによって、物体が浮遊する状態（あたかも宙に浮かんでいるかのように見える状態）を形成することができる。
【０００９】
また、本発明においては、第１駆動手段と第２駆動手段とは、被覆部材によって覆われており、透明性部材及び物体を駆動する仕掛けが遊技者によって視認できない状態になっている。これにより、物体が浮遊する状態をより現実的に演出することができる。
また、本発明においては、物体を配設した透明性部材を直接動かすことができる。これにより、物体の動きを安定させることができ、その動きの精度を向上させることができる。
【００１０】
それ故、本発明の遊技機における物体可動構造によれば、物体が浮遊する状態を現実的にかつ安定して形成することができる。
【発明を実施するための最良の形態】
【００１１】
上述した本発明における好ましい実施の形態につき説明する。
本発明の物体可動構造は、遊技盤の遊技領域内に設けることができる。また、これ以外にも、物体可動構造は、遊技機における本体枠、ガラス枠、球皿等の部位に設けることもできる。
【００１２】
また、本発明において、上記第１駆動手段と上記第２駆動手段とは、共通の駆動源を用いて構成することができ、別々の駆動源を用いて構成することもできる。そして、第１駆動手段と第２駆動手段とを共通の駆動源を用いて構成した場合には、制御によって駆動源の動作状態を変化させることにより、物体と透明性部材との一体的な動作と、透明性部材に対する物体の相対的な動作とを行うことができる。一方、第１駆動手段と第２駆動手段とを別々の駆動源を用いて構成した場合には、制御によって各駆動源の動作タイミング、動作量、動作方向等を異ならせることにより、物体と透明性部材との一体的な動作と、透明性部材に対する物体の相対的な動作とを行うことができる。
【００１３】
また、上記透明性部材と上記物体とは、上記第１駆動手段の単独駆動によって上記ベース部材に対して一体的に動かすことができる。また、上記透明性部材と上記物体とは、上記第１駆動手段と上記第２駆動手段とを、同じ方向に、同じタイミングで、同じ距離だけ動かすことによって、上記ベース部材に対して一体的に動かすこともできる。
【００１４】
また、上記物体は、上記第２駆動手段の単独駆動によって上記透明性部材に対して相対的に動かすことができる。また、上記物体は、上記第１駆動手段と上記第２駆動手段との駆動方向を互いに異ならせることによっても、上記透明性部材に対して相対的に動かすことができる。また、上記物体は、上記第１駆動手段と上記第２駆動手段との駆動距離を互いに異ならせることによっても、上記透明性部材に対して相対的に動かすことができる。
上記透明性部材は、透明又は半透明（色付の透明等）の板状の部材とすることができる。上記物体は、種々の配色を行った演出用の物体、装飾用の物体とすることができる。
【００１５】
また、上記透明性部材の後方には、後方透明性部材を上記ベース部材に対して可動可能に配設し、上記透明性部材及び上記後方透明性部材と上記物体とには、係合機構を上記物体によって覆われた状態で係合させ、上記第１駆動手段は、上記透明性部材を可動させるよう構成した第１駆動源とし、上記第２駆動手段は、上記後方透明性部材を可動させるよう構成した第２駆動源とし、上記第１駆動源と上記第２駆動源とによって上記透明性部材と上記後方透明性部材とを可動させたときには、上記係合機構によって上記物体を上記透明性部材と一体的に動かし、一方、上記第１駆動源又は上記第２駆動源によって上記透明性部材と上記後方透明性部材とを相対的に可動させたときには、上記係合機構によって上記物体を上記透明性部材に対して相対的に動かすよう構成することが好ましい（請求項２）。
【００１６】
この場合には、後方透明性部材及び係合機構を用いることにより、物体を透明性部材と一体的に動かす動作と、物体を透明性部材に対して相対的に動かす動作とを、より安定して行うことができる。
また、透明性部材及び後方透明性部材と物体とに係合する係合機構は、物体によって覆われていることにより、遊技者によって視認できない状態になっている。これにより、物体が浮遊する状態を現実的に演出することができる。
【実施例】
【００１７】
以下に、本発明の遊技機における物体可動構造にかかる実施例につき、図面と共に説明する。
（実施例１）
本例の遊技機における物体可動構造１は、図１、図２に示すごとく、透明性部材３をベース部材１１に対して可動可能に配設すると共に、透明性部材３に物体２を配設してなる。透明性部材３は、第１駆動手段５によってベース部材１１に対して相対的に動くことが可能であり、物体２は、第２駆動手段６によって透明性部材３に対して相対的に動くことが可能である。第１駆動手段５と第２駆動手段６とは、ベース部材１１に設けた被覆部材１２によって覆われている。ここで、ベース部材１１とは、移動可能な透明性部材３に対して絶対基準となる部位のことをいい、透明性部材３の背面側に位置し、物体２の背景として存在する背景部１１のことをいう。ベース部材１１は、第１駆動手段５及び第２駆動手段６を覆う被覆部材１２と一体的に形成したものとすることもできる。
なお、図２は、物体可動構造１の断面を上方視した状態で模式的に示す図である。
【００１８】
以下に、本例の遊技機における物体可動構造１につき、図１〜図６と共に詳説する。
本例の物体２は、遊技の演出（大当りの期待感を向上させる予告演出等）又は観賞を目的としており、種々の配色を行ったものからなる。本例の物体可動構造１は、遊技機における遊技盤の遊技領域内に設けられた、大当り等に関連する画像表示を行う画像表示装置の前面側に形成することができる。
本例の透明性部材３は、透明又は半透明の樹脂から成形した板状部材からなる。本例のベース部材１１は、画像表示装置の画像表示部、又は画像表示装置における画像表示の周囲を取り囲む装飾枠部等からなる。本例の被覆部材１２は、上記装飾枠部の一部であり、遊技者が視認できるよう遊技機の前面側に配設されている。
【００１９】
図１、図２に示すごとく、本例の透明性部材３の後方には、透明又は半透明の樹脂から成形した板状の後方透明性部材４が、ベース部材１１に対して可動する状態で配設してある。透明性部材３及び後方透明性部材４と物体２とには、係合機構７が物体２によって覆われた状態で係合している。
本例の物体２は、透明性部材３の前面に配設してあり、透明性部材３と一体化して上下にスライドするよう構成してあると共に、透明性部材３に対して相対的に揺動するよう構成してある。
【００２０】
本例の第１駆動手段５及び第２駆動手段６は、別々の駆動源を用いて構成されており、第１駆動手段５を構成する駆動源は、透明性部材３を可動させるよう構成した第１駆動源５１であり、第２駆動手段６を構成する駆動源は、後方透明性部材４を可動させるよう構成した第２駆動源６１である。
【００２１】
また、図１、図２に示すごとく、本例の透明性部材３の左右の両端部及び後方透明性部材４の左右の両端部には、複数の歯面を直線状に配置したラック部３１、４１が形成してある。そして、本例の第１駆動源５１は、透明性部材３の左右におけるラック部３１に噛合する一対のピニオン５２と、このピニオン５２をそれぞれ回転させる一対のモータ５１１とによって構成されている。また、本例の第２駆動源６１は、後方透明性部材４の左右におけるラック部４１に噛合する一対のピニオン６２と、このピニオン６２をそれぞれ回転させる一対のモータ６１１とによって構成されている。
また、第１駆動源５１を構成する一対のモータ５１１及び第２駆動源６１を構成する一対のモータ６１１は、物体２の動作を制御する制御装置によって回転制御を行うよう構成されている。
【００２２】
図１、図２に示すごとく、本例の係合機構７は、透明性部材３と物体２とに係合し、物体２が揺動するときの中心を形成する揺動支点部材７１と、後方透明性部材４と物体２とに係合する係合部材７２とを用いて構成してある。
本例の揺動支点部材７１は、透明性部材３から前面側へ突出して設けた軸部材からなる。揺動支点部材７１は、物体２の裏面側に形成した軸穴２１に挿入してある。
なお、揺動支点部材７１は、物体２から裏面側へ突出して設けると共に、透明性部材３に設けた軸穴に挿入することもできる。
【００２３】
本例の係合部材７２は、後方透明性部材４から前面側へ突出して設けた軸部材からなる。係合部材７２は、透明性部材３の上下方向に沿って形成した長穴３２内に挿通した状態で、物体２の裏面側において左右方向に沿って形成した長穴２２内に挿入してある。
また、本例の物体２においては、透明性部材３の前面側から見て、揺動支点部材７１に対して係合部材７２が左右の一方側（本例では右側）に位置している。
なお、図３に示すごとく、透明性部材３の前面側には、物体２の演出等を補助するための種々の装飾部材１９等を、透明性部材３には固定せず、ベース部材１１に固定する状態で配置することができる。
【００２４】
上記物体２は、制御装置による第１駆動源５１を構成する一対のモータ５１１及び第２駆動源６１を構成する一対のモータ６１１の回転制御により、以下の種々の動作を行うことができる。
制御装置によって、第１駆動源５１を構成する一対のモータ５１１及び第２駆動源６１を構成する一対のモータ６１１を同時に駆動し、透明性部材３及び後方透明性部材４を同じ距離だけ上方へスライドさせることにより、図３、図４に示すごとく、物体２を、その姿勢を保ったまま（揺動させることなく）で上昇させることができる。また、制御装置によって、第１駆動源５１を構成する一対のモータ５１１及び第２駆動源６１を構成する一対のモータ６１１を同時に駆動し、透明性部材３及び後方透明性部材４を同じ距離だけ下方へスライドさせることにより、物体２を、その姿勢を保ったまま（揺動させることなく）で下降させることができる。なお、図３は、物体２が原位置にある状態を示し、図４は、物体２が上方へスライドした状態を示す。また、図３〜図６においては、図示をわかり易くするために、係合機構７の部分を実線で示す。
【００２５】
また、物体２を上昇又は下降させた適宜位置において、制御装置によって、第２駆動源６１を構成する一対のモータ６１１のみを駆動し、透明性部材３に対して後方透明性部材４を上方へスライドさせることにより、図５に示すごとく、揺動支点部材７１を中心にして、物体２の左右の一方側を上方へ揺動させることができる。また、物体２を上昇又は下降させた適宜位置において、制御装置によって、第２駆動源６１を構成する一対のモータ６１１のみを駆動し、透明性部材３に対して後方透明性部材４を下方へスライドさせることにより、図６に示すごとく、揺動支点部材７１を中心にして、物体２の左右の一方側を下方へ揺動させることができる。
【００２６】
また、制御装置によって、第２駆動手段６を構成する一対のモータ６１１の回転方向を、正方向と逆方向とに交互に繰り返して、透明性部材３に対して後方透明性部材４を上下に往復スライドさせることにより、揺動支点部材７１を中心にして、物体２の左右の一方側を上下に揺動させることができる。
【００２７】
また、透明性部材３に対して物体２を揺動させるときには、次のように、第１駆動源５１を構成する一対のモータ５１１のみを駆動することもできる。
すなわち、物体２を上昇又は下降させた適宜位置において、制御装置によって、第１駆動手段５を構成する一対のモータ５１１のみを駆動し、後方透明性部材４に対して透明性部材３を上方へスライドさせることにより、図６に示すごとく、係合部材７２を中心にして、物体２の左右の他方側を上方へ揺動させることができる。また、物体２を上昇又は下降させた適宜位置において、制御装置によって、第１駆動手段５を構成する一対のモータ５１１のみを駆動し、後方透明性部材４に対して透明性部材３を下方へスライドさせることにより、図５に示すごとく、係合部材７２を中心にして、物体２の左右の他方側を下方へ揺動させることができる。
【００２８】
また、制御装置によって、第１駆動手段５を構成する一対のモータ５１１の回転方向を、正方向と逆方向とに交互に繰り返して、後方透明性部材４に対して透明性部材３を上下に往復スライドさせることにより、係合部材７２を中心にして、物体２の左右の他方側を上下に揺動させることができる。
【００２９】
また、透明性部材３に対して物体２を揺動させるときには、次のように、第１駆動源５１を構成する一対のモータ５１１と、第２駆動源６１を構成する一対のモータ６１１との駆動量、駆動方向を異ならせることもできる。
すなわち、制御装置によって、第１駆動源５１を構成する一対のモータ５１１と第２駆動源６１を構成する一対のモータ６１１とを、駆動量を異ならせて同時に駆動し、透明性部材３の上方へのスライド距離よりも後方透明性部材４の上方へのスライド距離を大きくすることにより、揺動支点部材７１を中心にして物体２の左右の一方側を上方へ揺動させながら、物体２を上昇させることができる。また、制御装置によって、第１駆動源５１を構成する一対のモータ５１１と第２駆動源６１を構成する一対のモータ６１１とを、駆動量を異ならせて同時に駆動し、透明性部材３の下方へのスライド距離よりも後方透明性部材４の下方へのスライド距離を大きくすることにより、揺動支点部材７１を中心にして物体２の左右の一方側を下方へ揺動させながら、物体２を下降させることができる。
【００３０】
また、制御装置によって、第１駆動源５１を構成する一対のモータ５１１と第２駆動源６１を構成する一対のモータ６１１とを、駆動量を異ならせて同時に駆動し、後方透明性部材４の上方へのスライド距離よりも透明性部材３の上方へのスライド距離を大きくすることにより、係合部材７２を中心にして物体２の左右の他方側を上方へ揺動させながら、物体２を上昇させることもできる。また、制御装置によって、第１駆動源５１を構成する一対のモータ５１１と第２駆動源６１を構成する一対のモータ６１１とを、駆動量を異ならせて同時に駆動し、後方透明性部材４の下方へのスライド距離よりも透明性部材３の下方へのスライド距離を大きくすることにより、係合部材７２を中心にして物体２の左右の他方側を下方へ揺動させながら、物体２を下降させることもできる。
【００３１】
その他、制御装置によって、透明性部材３の上方又は下方へのスライド距離と、後方透明性部材４の上方又は下方へのスライド距離とを異ならせるように、第１駆動源５１を構成する一対のモータ５１１と第２駆動源６１を構成する一対のモータ６１１との回転方向を、正方向と逆方向とに交互に繰り返すことにより、物体２に種々の上下動作と揺動動作とを行わせることができる。
【００３２】
上記のごとく、本例の遊技機における物体可動構造１は、第１駆動源５１及び第２駆動源６１と、これらを制御する制御装置とを有しており、物体２を透明性部材３と一体的にスライドさせることができると共に、物体２を透明性部材３に対して相対的に揺動させることができるものである。そして、制御装置における制御により、物体２の種々の動きを形成することができる。
これにより、ベース部材１１に対する透明性部材３と物体２との一体的なスライド動作と、透明性部材３に対する物体２の相対的な揺動動作とを組み合せることによって、物体２が浮遊する状態（あたかも宙に浮かんでいるかのように見える状態）を形成することができる。
【００３３】
また、本例においては、第１駆動源５１及び第２駆動源６１は、被覆部材１２によって覆われており、係合機構７は、物体２によって覆われている。そして、透明性部材３、後方透明性部材４及び物体２を駆動する仕掛けが遊技者によって視認できない状態になっている。これにより、物体２が浮遊する状態をより現実的に演出することができる。
また、本例においては、物体２を配設した透明性部材３及び後方透明性部材４を直接動かすことができる。これにより、物体２の動きを安定させることができ、その動きの精度を向上させることができる。
【００３４】
なお、後方透明性部材４の後方には、画像表示装置の画像表示部の他にも、装飾画、装飾部材等を配設することにより、種々の演出表示、装飾等を行うことができる。
それ故、本例の遊技機における物体可動構造１によれば、物体２が浮遊する状態を現実的にかつ安定して形成することができる。
【００３５】
また、透明性部材３、後方透明性部材４の位置、又は第１駆動源５１を構成する一対のモータ５１１、第２駆動源６１を構成する一対のモータ６１１の回転位置は、図示しない位置検出手段（センサ）によって適宜検出することができる。この場合には、物体２の動きをより適切に制御することができる。
また、後方透明性部材４の後方に配置した、物体２の背景としての役割を果たす画像表示部の画像を、物体２の動きに合わせて適宜変更させることにより、大当りへの期待感を向上させる予告演出や、大当り演出等において、趣向性の高い遊技演出を表現することができる。
【００３６】
（実施例２）
本例の物体可動構造１Ａは、図７に示すごとく、上記透明性部材３を上下にスライドさせる第１駆動源５１（図示略）と、上記後方透明性部材４を上下にスライドさせる第２駆動源６１（図示略）とを用いて、スライド動作及び揺動動作を行う物体２Ａによって、遊技領域における入賞振分け機構を形成したものである。
本例においても、第１駆動手段５、第２駆動手段６、透明性部材３、後方透明性部材４、係合機構７等の構成は、上記実施例１と同様である。
【００３７】
図７に示すごとく、本例の物体２Ａは、遊技盤の遊技領域内に設けられた、大当り等を決定する振分け装置内に配設してある。そして、物体２Ａは、振分け装置内に入球した遊技球８を、Ｖ入賞口１４へ導くか否かの振分けを行う振分け部材として用いる。物体２Ａが上下する領域の左右には、遊技球８をＶ入賞口１４へ導くことが可能な特別通路１５が一対に形成してあり、一対の特別通路１５同士の間には、遊技球８をアウト口へ落下させるための落下通路１６が形成してある。また、本例のＶ入賞口１４は、特別通路１５に導かれた遊技球８が最終的に落下する左右の終端部の間の領域内において、左右に移動するよう構成してあり、特別通路１５に導かれた遊技球８は所定の確率でＶ入賞口１４に入賞するよう構成してある。
【００３８】
本例の物体２Ａは、上記実施例１と同様の駆動構造を用いることにより、物体２Ａを上下にスライドさせることができる。これにより、物体２Ａが一対の特別通路１５よりも上方に位置するときには、物体２Ａの上に落下した遊技球８をいずれかの特別通路１５へ導くことが可能になる。一方、物体２Ａが一対の特別通路１５よりも下方に位置するときには、物体２Ａの上に落下した遊技球８は落下通路１６を落下してアウト口へ導かれる。
また、上記実施例１と同様の駆動構造を用いることにより、物体２Ａの姿勢を、左右方向に下り傾斜させることができる。そして、物体２Ａの上に落下した遊技球８を左右方向のどちらかに振り分けて流下させることができる。その他、物体２Ａを上下に往復でスライドさせたり、物体２Ａを上下に揺動させたりすることができる。
【００３９】
このように、本例においても、物体２Ａの上下のスライド動作と、物体２Ａの上下の揺動動作とを組み合せることによって、物体２Ａが浮遊する状態（あたかも宙に浮かんでいるかのように見える状態）を形成することができる。そして、物体２Ａが浮遊する状態を利用して遊技球８の振分け動作を行うことができ、遊技の趣向性を向上させることができる。
それ故、本例の遊技機における物体可動構造１Ａによっても、物体２Ａが浮遊する状態を現実的にかつ安定して形成することができる。その他、本例においても、上記実施例１と同様の作用効果を得ることができる。
【００４０】
なお、後方透明性部材４の後方には、画像表示装置の画像表示部の他にも、装飾画、装飾部材等を配設することにより、種々の演出表示、装飾等を行うことができる。
また、後方透明部材４の後方に画像表示装置を配設し、物体２Ａの背景として画像を表示させ、物体２Ａの動きにあわせて画像を適宜変化させることにより、遊技球８が特別通路１５へ誘導される期待感を向上させる演出を行うことができる。また、画像表示装置において図柄による大当り表示を行わせ、物体２Ａの振分け動作とその表示とを連動させて大当り等の演出を行わせることにより、趣向性の高い遊技演出を表現することができる。
また、本例の物体可動構造１Ａ（遊技球８の振分け構造）は、大当りの振分け以外にも、図柄表示装置の図柄を変動させる契機となる、始動入賞口への入球の振分け等、様々な振分け機構に用いることもできる。
【００４１】
（その他の実施例）
上記物体可動構造１は、上記実施例１、２以外にも、以下の種々の構成によって実現することもできる。
例えば、図示は省略するが、ベース部材１１に対して可動する透明性部材３に物体を配設し、第１駆動源５１を用いた第１駆動手段５によって物体と透明性部材３とを一体的にスライドさせるよう構成すると共に、電磁力、風力等の第２駆動源６１を用いた第２駆動手段６によって物体を透明性部材３に対して相対的に揺動させるよう構成することもできる。
【００４２】
また、例えば、図示は省略するが、透明性部材３に物体を配設し、物体を配設した透明性部材３をベース部材１１に対して可動する可動部材に配設し、物体及び透明性部材３を含む可動部材の全体を第１駆動手段５によってスライドさせると共に、可動部材に設けた第２駆動手段６によって透明性部材３に対して物体を揺動させるよう構成することもできる。
また、透明性部材３と後方透明性部材４とは、互いに相対的に回転するよう構成することもできる。そして、第１駆動手段５と第２駆動手段６とによって、物体には、スライド動作又は揺動動作以外にも、種々の移動動作を行わせることができる。
【図面の簡単な説明】
【００４３】
【図１】実施例１における、遊技機における物体可動構造を示す斜視説明図。
【図２】実施例１における、遊技機における物体可動構造を示す断面説明図。
【図３】実施例１における、物体が原位置にある状態の遊技機における物体可動構造の一部を示す正面説明図。
【図４】実施例１における、物体が上方へスライドした状態の遊技機における物体可動構造の一部を示す正面説明図。
【図５】実施例１における、物体の左右の一方側を上方へ揺動させた状態の遊技機における物体可動構造の一部を示す正面説明図。
【図６】実施例１における、物体の左右の一方側を下方へ揺動させた状態の遊技機における物体可動構造の一部を示す正面説明図。
【図７】実施例２における、遊技機における物体可動構造を示す斜視説明図。
【符号の説明】
【００４４】
１  物体可動構造
１１  ベース部材
１２  被覆部材
２  物体
３  透明性部材
４  後方透明性部材
５  第１駆動手段
５１  第１駆動源
６  第２駆動手段
６１  第２駆動源
７  係合機構
７１  揺動支点部材
７２  係合部材
【図１】
2009112564.tif 000003
【図２】
2009112564.tif 000004
【図３】
2009112564.tif 000005
【図４】
2009112564.tif 000006
【図５】
2009112564.tif 000007
【図６】
2009112564.tif 000008
【図７】
2009112564.tif 000009